(57)【要約】  本発明の実施例は、チャネルアクセスタイプ指示方法、端末装置、ネットワーク装置、チップ、コンピュータ可読記憶媒体、コンピュータプログラム製品及びコンピュータプログラムを提供する。これにより、端末側は、ｍｓｇ３のチャネルアクセスタイプを決定することができる。方法は、ランダムアクセス応答の指示及び／又はネットワーク側の設定に基づいて、ｍｓｇ３のチャネルアクセスタイプを決定することを含む。
2021528009.tif 000002
【特許請求の範囲】
【請求項１】
チャネルアクセスタイプ指示方法であって、端末装置に適用され、前記方法は、
ランダムアクセス応答の指示及び／又はネットワーク側の設定に基づいて、ｍｓｇ３のチャネルアクセスタイプを決定することを含む、チャネルアクセスタイプ指示方法。
【請求項２】
前記方法は、
前記ランダムアクセス応答に、前記ｍｓｇ３のチャネルアクセスタイプが含まれることを更に含むことを特徴とする
請求項１に記載の方法。
【請求項３】
前記ｍｓｇ３のチャネルアクセスタイプは、前記ランダムアクセス応答のサブヘッダーに含まれることを特徴とする
請求項２に記載の方法。
【請求項４】
前記ｍｓｇ３のチャネルアクセスタイプは、前記ランダムアクセス応答のペイロードに含まれることを特徴とする
請求項２に記載の方法。
【請求項５】
前記ｍｓｇ３のチャネルアクセスタイプは、前記ランダムアクセス応答のサブヘッダーの予約ビットにより指示されることを特徴とする
請求項１−３のうちいずれか一項に記載の方法。
【請求項６】
前記ｍｓｇ３のチャネルアクセスタイプは、前記ランダムアクセス応答のペイロードの予約ビットにより指示されることを特徴とする
請求項１、２又は４のうちいずれか一項に記載の方法。
【請求項７】
前記ｍｓｇ３のチャネルアクセスタイプは、単独のランダムアクセス応答のサブヘッダーにより指示されることを特徴とする
請求項１又は２に記載の方法。
【請求項８】
前記ｍｓｇ３のチャネルアクセスタイプは、共通のチャネルタイプ又は異なる端末装置に対する異なるチャネルタイプであることを特徴とする
請求項１又は２に記載の方法。
【請求項９】
前記方法は、
ネットワーク側のＲＲＣシグナリングにより、ネットワーク側の少なくとも１つのチャネルアクセスタイプを取得することを更に含むことを特徴とする
請求項１に記載の方法。
【請求項１０】
前記方法は、
ランダムアクセス応答により指示されたｍｓｇ３のチャネルアクセスタイプ識別情報を取得することを更に含み、
前記ｍｓｇ３のチャネルアクセスタイプは、前記ＲＲＣシグナリングにより設定された少なくとも１つのチャネルアクセスタイプのうちの１つであることを特徴とする
請求項９に記載の方法。
【請求項１１】
前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なることを特徴とする
請求項１−１０のうちいずれか一項に記載の方法。
【請求項１２】
前記方法は、
ｍｓｇ３の伝送時間が、ランダムアクセス応答の最大チャネル占有時間以外である場合、現在、ランダムアクセスを開始するイベント及びＲＲＣにより設定された少なくとも１つのチャネルアクセスタイプに基づいて、ｍｓｇ３のチャネルアクセスタイプを決定することを更に含むことを特徴とする
請求項９に記載の方法。
【請求項１３】
チャネルアクセスタイプ指示方法であって、ネットワーク装置に適用され、前記方法は、
ランダムアクセス応答の指示及び／又はネットワーク側の設定により、端末装置によるｍｓｇ３の送信に用いられるチャネルアクセスタイプを決定することを含む、チャネルアクセスタイプ指示方法。
【請求項１４】
前記方法は、
前記ランダムアクセス応答に、前記ｍｓｇ３のチャネルアクセスタイプが含まれることを更に含むことを特徴とする
請求項１３に記載の方法。
【請求項１５】
前記ｍｓｇ３のチャネルアクセスタイプは、前記ランダムアクセス応答のサブヘッダーに含まれることを特徴とする
請求項１４に記載の方法。
【請求項１６】
前記ｍｓｇ３のチャネルアクセスタイプは、前記ランダムアクセス応答のペイロードに含まれることを特徴とする
請求項１４に記載の方法。
【請求項１７】
前記ｍｓｇ３のチャネルアクセスタイプは、前記ランダムアクセス応答のサブヘッダーの予約ビットにあることを特徴とする
請求項１３−１５のうちいずれか一項に記載の方法。
【請求項１８】
前記ｍｓｇ３のチャネルアクセスタイプは、前記ランダムアクセス応答のペイロードの予約ビットにあることを特徴とする
請求項１３、１４又は１６のうちいずれか一項に記載の方法。
【請求項１９】
前記ｍｓｇ３のチャネルアクセスタイプは、単独のランダムアクセス応答のサブヘッダーにより指示されることを特徴とする
請求項１３又は１４に記載の方法。
【請求項２０】
前記ｍｓｇ３のチャネルアクセスタイプは、共通のチャネルタイプ又は異なる端末装置に対する異なるチャネルタイプであることを特徴とする
請求項１３又は１４に記載の方法。
【請求項２１】
前記方法は、
RRCシグナリングにより、端末装置のために、少なくとも1つのチャネルアクセスタイプを設定することを更に含むことを特徴とする
請求項１３に記載の方法。
【請求項２２】
前記方法は、
ランダムアクセス応答により、ｍｓｇ３のチャネルアクセスタイプ識別情報を端末装置に指示することを更に含み、
前記ｍｓｇ３のチャネルアクセスタイプは、前記ＲＲＣシグナリングにより設定された少なくとも１つのチャネルアクセスタイプのうちの１つであることを特徴とする
請求項２１に記載の方法。
【請求項２３】
前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なることを特徴とする
請求項１３−２２のうちいずれか一項に記載の方法。
【請求項２４】
前記方法は、
ランダムアクセス応答により、ｍｓｇ３の伝送時間がランダムアクセス応答の最大チャネル占有時間以外であることを端末装置に指示することを更に含むことを特徴とする
請求項２１に記載の方法。
【請求項２５】
前記方法は、
ランダムアクセス応答の最大チャネル占有時間、及びスケジューリングされたｍｓｇ３の伝送時間に基づいて、ｍｓｇ３のチャネルアクセスタイプを決定することを更に含むことを特徴とする
請求項１３に記載の方法。
【請求項２６】
ランダムアクセス応答の最大チャネル占有時間、及びスケジューリングされたｍｓｇ３の伝送時間に基づいて、ｍｓｇ３のチャネルアクセスタイプを決定することは、
ｍｓｇ３の伝送時間がランダムアクセス応答の最大チャネル占有時間内にある場合、優先度の高いチャネルアクセスタイプを用いることと、
ｍｓｇ３の伝送時間がランダムアクセス応答の最大チャネル占有時間以外である場合、優先度の低いチャネルアクセスタイプを用いることと、を含むことを特徴とする
請求項２５に記載の方法。
【請求項２７】
前記方法は、
端末装置のｍｓｇ１に用いられる時間周波数領域リソース及び／又は符号領域リソースに基づいて、前記端末装置のｍｓｇ３に使用されるチャネルアクセスタイプを決定し、ランダムアクセス応答により、前記端末装置にｍｓｇ３のチャネルアクセスタイプを指示することを更に含むことを特徴とする
請求項１３に記載の方法。
【請求項２８】
端末装置であって、
ランダムアクセス応答の指示及び／又はネットワーク側の設定に基づいて、ｍｓｇ３のチャネルアクセスタイプを決定するように構成される第１処理ユニットを備える、端末装置。
【請求項２９】
前記ランダムアクセス応答に、前記ｍｓｇ３のチャネルアクセスタイプが含まれることを更に含むことを特徴とする
請求項２８に記載の端末装置。
【請求項３０】
前記ｍｓｇ３のチャネルアクセスタイプは、前記ランダムアクセス応答のサブヘッダーに含まれることを特徴とする
請求項２９に記載の端末装置。
【請求項３１】
前記ｍｓｇ３のチャネルアクセスタイプは、前記ランダムアクセス応答のペイロードに含まれることを特徴とする
請求項２９に記載の端末装置。
【請求項３２】
前記ｍｓｇ３のチャネルアクセスタイプは、前記ランダムアクセス応答のサブヘッダーの予約ビットにより指示されることを特徴とする
請求項２８−３０のうちいずれか一項に記載の端末装置。
【請求項３３】
前記ｍｓｇ３のチャネルアクセスタイプは、前記ランダムアクセス応答のペイロードの予約ビットにより指示されることを特徴とする
請求項２８、２９又は３１のうちいずれか一項に記載の端末装置。
【請求項３４】
前記ｍｓｇ３のチャネルアクセスタイプは、単独のランダムアクセス応答のサブヘッダーにより指示されることを特徴とする
請求項２８又は２９に記載の端末装置。
【請求項３５】
前記ｍｓｇ３のチャネルアクセスタイプは、共通のチャネルタイプ又は異なる端末装置に対する異なるチャネルタイプであることを特徴とする
請求項２８又は２９に記載の端末装置。
【請求項３６】
前記端末装置は、
ネットワーク側のＲＲＣシグナリングにより、ネットワーク側により設定された少なくとも１つのチャネルアクセスタイプを取得するように構成される第１通信ユニットを更に備えることを特徴とする
請求項２８に記載の端末装置。
【請求項３７】
前記第１通信ユニットは、ランダムアクセス応答により指示されたｍｓｇ３のチャネルアクセスタイプ識別情報を取得し、
前記ｍｓｇ３のチャネルアクセスタイプは、前記ＲＲＣシグナリングにより設定された少なくとも１つのチャネルアクセスタイプのうちの１つであることを特徴とする
請求項３６に記載の端末装置。
【請求項３８】
前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なることを特徴とする
請求項２８−３７のうちいずれか一項に記載の端末装置。
【請求項３９】
前記第１処理ユニットは、ｍｓｇ３の伝送時間が、ランダムアクセス応答の最大チャネル占有時間以外である場合、現在、ランダムアクセスを開始するイベント及びＲＲＣにより設定された少なくとも１つのチャネルアクセスタイプに基づいて、ｍｓｇ３のチャネルアクセスタイプを決定することを特徴とする
請求項３６に記載の端末装置。
【請求項４０】
ネットワーク装置であって、前記ネットワーク装置は、
ランダムアクセス応答の指示及び／又はネットワーク側の設定により、端末装置によるｍｓｇ３の送信に用いられるチャネルアクセスタイプを決定するように構成される第２通信ユニットを備える、ネットワーク装置。
【請求項４１】
前記第２通信ユニットは、前記ランダムアクセス応答に、前記ｍｓｇ３のチャネルアクセスタイプを包含させることを特徴とする
請求項４０に記載のネットワーク装置。
【請求項４２】
前記ｍｓｇ３のチャネルアクセスタイプは、前記ランダムアクセス応答のサブヘッダーに含まれることを特徴とする
請求項４１に記載のネットワーク装置。
【請求項４３】
前記ｍｓｇ３のチャネルアクセスタイプは、前記ランダムアクセス応答のペイロードに含まれることを特徴とする
請求項４１に記載のネットワーク装置。
【請求項４４】
前記ｍｓｇ３のチャネルアクセスタイプは、前記ランダムアクセス応答のサブヘッダーの予約ビットにあることを特徴とする
請求項４０−４２のうちいずれか一項に記載のネットワーク装置。
【請求項４５】
前記ｍｓｇ３のチャネルアクセスタイプは、前記ランダムアクセス応答のペイロードの予約ビットにあることを特徴とする
請求項４０、４１又は４３のうちいずれか一項に記載のネットワーク装置。
【請求項４６】
前記ｍｓｇ３のチャネルアクセスタイプは、単独のランダムアクセス応答のサブヘッダーにより指示されることを特徴とする
請求項４０又は４１に記載のネットワーク装置。
【請求項４７】
前記ｍｓｇ３のチャネルアクセスタイプは、共通のチャネルタイプ又は異なる端末装置に対する異なるチャネルタイプであることを特徴とする
請求項４０又は４１に記載のネットワーク装置。
【請求項４８】
前記第２通信ユニットは、ネットワーク側のＲＲＣシグナリングにより、端末装置のために、少なくとも１つのチャネルアクセスタイプを設定することを特徴とする
請求項４０に記載のネットワーク装置。
【請求項４９】
前記第２通信ユニットは、ランダムアクセス応答により、ｍｓｇ３のチャネルアクセスタイプ識別情報を端末装置に指示し、
前記ｍｓｇ３のチャネルアクセスタイプは、前記ＲＲＣシグナリングにより設定された少なくとも１つのチャネルアクセスタイプのうちの１つであることを特徴とする
請求項４８に記載のネットワーク装置。
【請求項５０】
前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なることを特徴とする
請求項４０−４９のうちいずれか一項に記載のネットワーク装置。
【請求項５１】
前記第２通信ユニットは、ランダムアクセス応答により、ｍｓｇ３の伝送時間がランダムアクセス応答の最大チャネル占有時間以外であることを端末装置に指示することを特徴とする
請求項４８に記載のネットワーク装置。
【請求項５２】
前記ネットワーク装置は、
ランダムアクセス応答の最大チャネル占有時間、及びスケジューリングされたｍｓｇ３の伝送時間に基づいて、ｍｓｇ３のチャネルアクセスタイプを決定するように構成される第２処理ユニットを更に備えることを特徴とする
請求項４０に記載のネットワーク装置。
【請求項５３】
前記第２処理ユニットは、ｍｓｇ３の伝送時間がランダムアクセス応答の最大チャネル占有時間内にある場合、優先度の高いチャネルアクセスタイプを用い、
ｍｓｇ３の伝送時間がランダムアクセス応答の最大チャネル占有時間以外である場合、優先度の低いチャネルアクセスタイプを用いることを特徴とする
請求項５２に記載のネットワーク装置。
【請求項５４】
前記ネットワーク装置は、
端末装置のｍｓｇ１に用いられる時間周波数領域リソース及び／又は符号領域リソースに基づいて、前記端末装置のｍｓｇ３に使用されるチャネルアクセスタイプを決定するように構成される第２処理ユニットと、
ランダムアクセス応答により、前記端末装置にｍｓｇ３のチャネルアクセスタイプを指示するように構成される第２通信ユニットと、を更に備えることを特徴とする
請求項４０に記載のネットワーク装置。
【請求項５５】
端末装置であって、プロセッサと、プロセッサで実行可能なコンピュータプログラムを記憶するためのメモリと、を備え、
該メモリは、コンピュータプログラムを記憶するように構成され、該プロセッサは、該メモリに記憶されるコンピュータプログラムを呼び出して実行し、請求項１−１２のうちいずれか一項に記載の方法を実行するように構成される、端末装置。
【請求項５６】
ネットワーク装置であって、プロセッサと、プロセッサで実行可能なコンピュータプログラムを記憶するためのメモリと、を備え、
該メモリは、コンピュータプログラムを記憶するように構成され、該プロセッサは、該メモリに記憶されるコンピュータプログラムを呼び出して実行し、請求項１３−２７のうちいずれか一項に記載の方法を実行するように構成される、ネットワーク装置。
【請求項５７】
チップであって、前記チップは、メモリからコンピュータプログラムを呼び出して実行し、前記チップが搭載されている装置に請求項１−１２のうちいずれか一項に記載の方法を実行させるように構成されるプロセッサを備える、チップ。
【請求項５８】
チップであって、前記チップは、メモリからコンピュータプログラムを呼び出して実行し、前記チップが搭載されている装置に請求項１３−２７のうちいずれか一項に記載の方法を実行させるように構成されるプロセッサを備える、チップ。
【請求項５９】
コンピュータ可読記憶媒体であって、コンピュータプログラムを記憶するためのものであり、該コンピュータプログラムは、コンピュータに請求項１−２７のうちいずれか一項に記載の方法を実行させる、コンピュータ可読記憶媒体。
【請求項６０】
コンピュータプログラム製品であって、コンピュータプログラム命令を含み、該コンピュータプログラム命令は、コンピュータに請求項１−２７のうちいずれか一項に記載の方法を実行させる、コンピュータプログラム製品。
【請求項６１】
コンピュータプログラムであって、前記コンピュータプログラムは、コンピュータに請求項１−２７のうちいずれか一項に記載の方法を実行させる、コンピュータプログラム。
【発明の詳細な説明】
【技術分野】
【０００１】
本発明は、情報処理技術分野に関し、特にチャネルアクセスタイプ指示方法、端末装置、ネットワーク装置、チップ、コンピュータ可読記憶媒体、コンピュータプロ製品及びコンピュータプログラムに関する。
【背景技術】
【０００２】
ランダムアクセス（ＲＡＣＨ）プロセスは、無線リンク制御（ＲＲＣ）アイドル状態からの初期アクセス、ＲＲＣ接続状態再確立、切替え、ＲＲＣ接続状態であって上り同期状態が非同期である場合の上り（ＵＬ）又は下り（ＤＬ）データの到着、ＲＲＣアクティブ状態の転送、他のシステム情報（ＳＩ）の要求、ビーム失敗からの復元というイベントにより、トリガされる。図１に示すように、ＲＡＣＨプロセスは、一般的には、競合ベースのランダムアクセス（ｃｏｎｔｅｎｔｉｏｎ−ｂａｓｅｄ  ＲＡＣＨ：ＣＢ−ＲＡＣＨ）及び競合無しランダムアクセス（ｃｏｎｔｅｎｔｉｏｎ−ｆｒｅｅ  ＲＡＣＨ：ＣＦ−ＲＡＣＨ）という２つの形態を含む。
【０００３】
端末装置は、アンライセンススペクトルでデータを伝送する場合、アンライセンススペクトル規格の幾つかの要件を満たす必要がある。検出されたエネルギーが閾値未満であれば、端末が該チャネルでデータを伝送できると認められる。ＬＴＥにおいてＣＡをサポートするために、アンライセンススペクトルを利用する。つまり、ＰＣｅｌｌは、ライセンススペクトルで動作し、基本的なアクセス機能及びデータ伝送機能を提供する。ＳＣｅｌｌは、アンライセンススペクトルで動作してデータｂｏｏｓｔｉｎｇとして用いられる。ＮＲ  Ｕｎｌｉｃｅｎｓｅｄは、ＬＡＡの作動形態、及びｓｔａｎｄ−ａｌｏｎｅの作動形態をサポートする必要がある。ｓｔａｎｄ−ａｌｏｎｅについて、ＲＡＣＨプロセスをｕｎｌｉｃｅｎｓｅｄスペクトルで実行する必要もある。従って、ＲＡＣＨは、ｕｎｌｉｃｅｎｓｅｄ（アンライセンス）要件を更に最適化すると共に、例えば、ＬＢＴ  （ｌｉｓｔｅｎ  ｂｅｆｏｒｅ  ｔａｌｋ）のような、ｕｎｌｉｃｅｎｓｅｄスペクトルのアクセス要件を満たす必要もある。
【０００４】
現在、ＬＡＡにおいて、ｔｙｐｅ１（第１チャネルアクセスタイプ）及びｔｙｐｅ２（第２チャネルアクセスタイプ）という２つのアクセスタイプが定義された。ｔｙｐｅ１のアクセス形態において、下記４つの優先度が存在する。
【０００５】
【表１】
2021528009.tif 000003
【０００６】
しかしながら、ｅＬＡＡの設計において、アクセスチャネルタイプが定義されていない。
【発明の概要】
【発明が解決しようとする課題】
【０００７】
上記技術的課題を解決するために、本発明の実施例は、チャネルアクセスタイプ指示方法、端末装置、ネットワーク装置、チップ、コンピュータ可読記憶媒体、コンピュータプログラム製品及びコンピュータプログラムを提供する。これにより、端末側は、ｍｓｇ３のチャネルアクセスタイプを決定することができる。
【課題を解決するための手段】
【０００８】
第１態様によれば、端末装置に適用されるチャネルアクセスタイプ指示方法を提供する。前記方法は、
ランダムアクセス応答の指示及び／又はネットワーク側の設定に基づいて、ｍｓｇ３のチャネルアクセスタイプを決定することを含む。
【０００９】
第２態様によれば、ネットワーク装置に適用されるチャネルアクセスタイプ指示方法を提供する。前記方法は、
ランダムアクセス応答の指示及び／又はネットワーク側の設定により、端末装置によるｍｓｇ３の送信に用いられるチャネルアクセスタイプを決定することを含む。
【００１０】
第３態様によれば、端末装置を提供する。前記端末装置は、
ランダムアクセス応答の指示及び／又はネットワーク側の設定に基づいて、ｍｓｇ３のチャネルアクセスタイプを決定するように構成される第１処理ユニットを備える。
【００１１】
第４態様によれば、ネットワーク装置を提供する。前記ネットワーク装置は、
ランダムアクセス応答の指示及び／又はネットワーク側の設定により、端末装置によるｍｓｇ３の送信に用いられるチャネルアクセスタイプを決定するように構成される第２通信ユニットを備える。
【００１２】
第５態様によれば、端末装置を提供する。前記端末装置は、プロセッサと、メモリと、を備える。該メモリは、コンピュータプログラムを記憶するように構成され、該プロセッサは、該メモリに記憶されるコンピュータプログラムを呼び出して実行し、上記第１態様又はその各実現形態における方法を実行するように構成される。
【００１３】
第６態様によれば、ネットワーク装置を提供する。前記ネットワーク装置は、プロセッサと、メモリと、を備える。該メモリは、コンピュータプログラムを記憶するように構成され、該プロセッサは、該メモリに記憶されるコンピュータプログラムを呼び出して実行し、上記第２態様又はその各実現形態における方法を実行するように構成される。
【００１４】
第７態様によれば、チップを提供する。前記チップは、上記第１態様から第２態様のうちいずれか１つ又はその各実現形態における方法を実現させるように構成される。
【００１５】
具体的には、該チップは、メモリからコンピュータプログラムを呼び出して実行し、該チップが搭載されている装置に上記第１態様から第２態様のうちいずれか１つ又はその各実現形態における方法を実行させるように構成されるプロセッサを備える。
【００１６】
第８態様によれば、コンピュータ可読記憶媒体を提供する。前記コンピュータ可読記憶媒体は、コンピュータプログラムを記憶するためのものであり、該コンピュータプログラムは、コンピュータに上記第１態様から第２態様のうちいずれか１つ又はその各実現形態における方法を実行させる。
【００１７】
第９態様によれば、コンピュータプログラム製品を提供する。前記コンピュータプログラム製品は、コンピュータプログラム命令を含み、該コンピュータプログラム命令は、コンピュータに上記第１態様から第２態様のうちいずれか１つ又はその各実現形態における方法を実行させる。
【００１８】
第１０態様によれば、コンピュータプログラムを提供する。前記コンピュータプログラムは、コンピュータで実行される時、コンピュータに上記第１態様から第２態様のうちいずれか１つ又はその各実現形態における方法を実行させる。
【発明の効果】
【００１９】
本発明の実施例の技術的解決手段によれば、端末装置は、ネットワーク側の設定及び／又はランダムアクセス応答の指示に基づいて、ｍｓｇ３を送信する場合に用いられるチャネルアクセスタイプを決定する。従って、端末装置が使用されるチャネルアクセスタイプを決定し、異なるトラフィック状況に基づいて異なるチャネルアクセス優先度を用いることを確保し、システムのアクセス効率を向上させることができる。
【図面の簡単な説明】
【００２０】
【図１】本発明の実施例によるランダムアクセスシーンを示す概略図である。
【図２】本発明の実施例による通信システムアーキテクチャを示す第１概略図である。
【図３】本発明の実施例によるチャネルアクセスタイプ指示方法を示す第１フローチャートである。
【図４】本発明の実施例によるチャネルアクセスタイプ指示シーンを示す第１概略図である。
【図５】本発明の実施例によるチャネルアクセスタイプ指示シーンを示す第２概略図である。
【図６】本発明の実施例によるチャネルアクセスタイプ指示方法を示す第２フローチャートである。
【図７】本発明の実施例による端末装置の構造を示す概略図である。
【図８】本発明の実施例によるネットワーク装置の構造を示す概略図である。
【図９】本発明の実施例による通信装置の構造を示す概略図である。
【図１０】本発明の実施例によるチップを示す概略的ブロック図である。
【図１１】本発明の実施例による通信システムアーキテクチャを示す第２概略図である。
【発明を実施するための形態】
【００２１】
以下、本願の実施例における図面を参照しながら、本願の実施例における技術的解決手段を説明する。勿論、記述される実施例は、全ての実施例ではなく、ただ本願の一部の実施例である。本願における実施例に基づいて、当業者が創造的な労力なしに得られる他の実施例の全ては、本願の保護の範囲に含まれる。
【００２２】
本願の実施例の技術的解決手段は、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｒ  Ｒａｄｉｏ  Ｓｅｒｖｉｃｅ：ＧＰＲＳ）、長期的進化（Ｌｏｎｇ  Ｔｅｒｍ  Ｅｖｏｌｕｔｉｏｎ：ＬＴＥ）システム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム又は５Ｇシステムといった種々の通信システムに適用されてもよい。
【００２３】
例示的には、本願の実施例に適用した通信システム１００は図２に示すとおりである。該通信システム１００は、ネットワーク装置１１０を備えてもよい。ネットワーク装置１１０は、端末１２０（通信端末、端末とも呼ばれる）と通信を行う装置であってもよい。ネットワーク装置１１０は、特定の地理的エリアに対して通信カバレッジを提供し、且つ該カバレッジ内に位置する端末と通信を行うことができる。任意選択的に、該ネットワーク装置１１０は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、該ネットワーク装置は、モバイルスイッチングセンタ、中継局、アクセスポイント、車載装置、ウェアラブル装置、ハブ、スイッチ、ブリッジ、ルータ、５Ｇネットワークにおけるネットワーク側装置又は将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）におけるネットワーク装置等であってもよい。
【００２４】
該通信システム１００は、ネットワーク装置１１０のカバレッジ範囲内に位置する少なくとも１つの端末１２０を更に備える。ここで使用される「端末装置」は、公衆交換電話網（Ｐｕｂｌｉｃ  Ｓｗｉｔｃｈｅｄ  Ｔｅｌｅｐｈｏｎｅ  Ｎｅｔｗｏｒｋｓ：ＰＳＴＮ）、デジタル加入者回線（Ｄｉｇｉｔａｌ  Ｓｕｂｓｃｒｉｂｅｒ  Ｌｉｎｅ：ＤＳＬ）、デジタルケーブル、直接ケーブルのような有線回線を経由して接続される装置、及び／又は別のデータ接続／ネットワークを経由して接続される装置、及び／又はセルラーネットワーク、無線ローカルエリアネットワーク（Ｗｉｒｅｌｅｓｓ  Ｌｏｃａｌ  Ａｒｅａ  Ｎｅｔｗｏｒｋ：ＷＬＡＮ）、ＤＶＢ−Ｈ  ネットワークのようなデジタルテレビジョンネットワーク、衛星ネットワーク、ＡＭ−ＦＭ放送送信機のような無線インタフェースを経由して接続される装置、及び／又は別の端末における、通信信号を受信／送信するように構成される装置、及び／又はモノのインターネット（Ｉｎｔｅｒｎｅｔ  ｏｆ  Ｔｈｉｎｇｓ：ＩｏＴ）装置を含むが、これらに限定されない。無線通信インタフェースを経由して通信を行うように構成される端末は、「無線通信端末」、「無線端末」、又は「携帯端末」と呼ばれてもよい。携帯端末の例は、衛星電話またはセルラー電話、セルラー無線電話とデータ処理、ファクシミリ及びデータ通信能力とを組み合わせることができるパーソナル通信システム（  Ｐｅｒｓｏｎａｌ  Ｃｏｍｍｕｎｉｃａｔｉｏｎｓ  Ｓｙｓｔｅｍ：ＰＣＳ）端末、無線電話、ページング装置、インターネット／イントラネットアクセス、Ｗｅｂブラウザ、メモ帳、カレンダ及び／又は全地球測位システム（Ｇｌｏｂａｌ  Ｐｏｓｉｔｉｏｎｉｎｇ  Ｓｙｓｔｅｍ：ＧＰＳ）受信機を含むＰＤＡ、及び従来のラップトップ及び／又はパームトップ受信機又は無線電話送受信機を含む他の電子機器を含むが、これらに限定されない。端末は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末、移動装置、ユーザ端末、端末、無線通信装置、ユーザ用エージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、５Ｇシステムにおける端末又は将来の進化型ＰＬＭＮにおける端末等であってもよい。
【００２５】
任意選択的に、端末１２０同士は、端末間（Ｄｅｖｉｃｅ  ｔｏ  Ｄｅｖｉｃｅ：Ｄ２Ｄ）での通信を行うことができる。
【００２６】
任意選択的に、５Ｇシステム又は５Ｇネットワークは、新しい無線（Ｎｅｗ  Ｒａｄｉｏ：ＮＲ）システム又はＮＲネットワークと呼ばれてもよい。
【００２７】
図２は、１つのネットワーク装置及び２つの端末装置を例示的に示す。任意選択的に、該通信システム１００は、複数のネットワーク装置を備えてもよく、また各ネットワーク装置のカバレッジに、他の数の端末装置が含まれてもよく、本発明の実施例はこれを限定するものではない。
【００２８】
任意選択的に、該通信システム１００は、ネットワークコントローラ、移動管理エンティティ等の他のネットワークエンティティを備えてもよく、本発明は、これを限定するものではない。
【００２９】
本願の実施例のネットワーク／システムにおける通信機能を有する装置は、通信装置と呼ばれてもよいことが理解されるべきである。図１に示す通信システム１００を例として、通信装置は、通信機能を有するネットワーク装置１１０及び端末装置１２０を備えてもよく、ネットワーク装置１１０及び端末装置１２０は、上述した具体的な装置であってもよく、ここで詳細な説明を省略する。通信装置は、ネットワークコントローラ、移動管理エンティティ等の他のネットワークエンティティのような、通信システム１００における他の装置を備えてもよく、本願の実施例はこれを限定するものではない。
【００３０】
「システム」及び「ネットワーク」という用語は、本明細書において互換的に用いられてよい。本明細書において、用語「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。また、本明細書において、文字「／」は、一般的に、前後の関連対象が、「又は」の関係であることを表す。
【００３１】
図３に示すように、本願の実施例で提供されるチャネルアクセスタイプ指示方法は、端末装置に適用される。前記方法は、ステップ２０１を含む。ステップ２０１において、ランダムアクセス応答の指示及び／又はネットワーク側の設定に基づいて、ｍｓｇ３のチャネルアクセスタイプを決定する。
【００３２】
つまり、ｍｓｇ２の指示及び／又はネットワーク側の設定に基づいて、ｍｓｇ３のチャネルアクセスタイプを決定する。
【００３３】
前記ランダムアクセス応答に、前記ｍｓｇ３のチャネルアクセスタイプが含まれる。
【００３４】
具体的には、下記幾つかの方式がある。
【００３５】
方式１
前記ｍｓｇ３のチャネルアクセスタイプは、前記ランダムアクセス応答のサブヘッダーに含まれる。ここで、前記ｍｓｇ３のチャネルアクセスタイプは、前記ランダムアクセス応答のサブヘッダーの予約ビットにより指示される。
【００３６】
前記チャネルアクセスタイプは、前記ＲＡＲのｓｕｂｈｅａｄｅｒの予約ビットにより指示されてもよい。
【００３７】
更に、前記ｍｓｇ３のチャネルアクセスタイプは、単独のランダムアクセス応答のサブヘッダーにより指示される。
【００３８】
ここで、前記単独のランダムアクセス応答のサブヘッダーは、従来技術に存在するサブヘッダーと異なるフォーマットであってもよく、本実施例は、具体的なフォーマットを限定するものではなく、従来技術で定義されたサブヘッダーと区別可能なものであればよい。
【００３９】
方式２
前記ｍｓｇ３のチャネルアクセスタイプは、前記ランダムアクセス応答のペイロードに含まれる。前記ｍｓｇ３のチャネルアクセスタイプは、前記ランダムアクセス応答のペイロード（ｐａｙｌｏａｄ）の予約ビットにより指示される。
【００４０】
上記記述によれば、本実施例に記載のｍｓｇ３のチャネルアクセスタイプは、共通のチャネルタイプ又は異なる端末装置に対する異なるチャネルタイプである。
【００４１】
つまり、チャネルアクセスタイプの指示は、共通のチャネルタイプの指示であってもよく、異なる端末装置に対する異なるチャネルタイプの指示であってもよい。
【００４２】
以上は、ＲＡＲの指示により、端末装置のｍｓｇ３のチャネルアクセスタイプを決定するための処理プロセスである。以下、ネットワーク側の設定により、端末装置のｍｓｇ３のチャネルアクセスタイプを決定するための処理プロセスを説明する。
【００４３】
ネットワーク側のＲＲＣシグナリングにより、少なくとも１つのチャネルアクセスタイプを設定する。
【００４４】
ランダムアクセス応答により、ｍｓｇ３のチャネルアクセスタイプの識別情報を指示し、
ここで、前記ｍｓｇ３のチャネルアクセスタイプは、前記ＲＲＣシグナリングにより設定された少なくとも１つのチャネルアクセスタイプのうちの１つである。
【００４５】
ネットワーク側は、ＲＲＣシグナリングにより端末装置のために、少なくとも１つのチャネルアクセスタイプを設定することができ、また、各チャネルアクセスタイプに対応する識別情報ｉｎｄｅｘを設定することもできることに留意されたい。
【００４６】
対応的に、ＲＡＲにより、ｍｓｇ３のチャネルアクセスタイプを指示する場合、識別情報を直接的に送信することで、端末装置に使用されるｍｓｇ３のチャネルアクセスタイプを指示することができる。
【００４７】
本実施例における前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なる。
【００４８】
第３チャネルアクセスタイプは、複数のアクセスレベルを含んでもよく、且つ第３チャネルアクセスタイプに含まれるアクセスレベルは、従来技術で限定された他のタイプのアクセスレベルと異なる。
【００４９】
なお、端末装置は、現在、ランダムアクセスを開始する時刻、及びＲＲＣにより設定された少なくとも１つのチャネルアクセスタイプに基づいて、ｍｓｇ３のチャネルアクセスタイプを決定することもできる。具体的には、ｍｓｇ３の伝送時間は、ランダムアクセス応答の最大チャネル占有時間以外である場合、現在、ランダムアクセスを開始するイベント及びＲＲＣにより設定された少なくとも１つのチャネルアクセスタイプに基づいて、ｍｓｇ３のチャネルアクセスタイプを決定する。
【００５０】
ここで、ｍｓｇ３の伝送時間がＲＡＲの最大チャネル占有時間ＭＣＯＴ以外であるかどうは、ネットワーク側により設定されてもよい。
【００５１】
以下、本実施例で提供される技術的解決手段の例を説明する。
【００５２】
例１において、ＲＡＲのフォーマットは、図４に示すとおりである。ネットワークは、ｓｕｂｈｅａｄｅｒにおける２つのＲ（予約）ビットにより、共通のチャネルアクセス優先度を指示できる。異なるＵＥは、該共通優先度を利用してｍｓｇ３を伝送する。
【００５３】
例２において、ＲＡＲペイロードｐａｙｌｏａｄのフォーマットは、図５に示すとおりである。ネットワークは、ｐａｙｌｏａｄにおけるＲ（予約）ビットにより、特定のチャネルアクセス優先度を１つのＵＥに指示する。異なるＵＥは、該特定の優先度を利用してｍｓｇ３を伝送する。
【００５４】
例３において、ネットワークは、ＲＲＣシグナリングにより、少なくとも１つのチャネルアクセスタイプ（少なくとも１つのチャネルアクセス優先度を含んでもよい）を設定する。また、異なるチャネルアクセスタイプ（又は異なるチャネルアクセス優先度）は、異なる識別情報ｉｎｄｅｘに対応する。また、ｍｓｇ２により、１つのｉｎｄｅｘを指示する。該ｉｎｄｅｘは、ＲＲＣにより設定された複数のチャネルアクセスタイプのうちの１つのチャネルアクセスタイプに対応し、且つ、１つのチャネルアクセス優先度に対応する。
【００５５】
例４において、ネットワークは、ＲＲＣにより異なるチャネルアクセスレベルを設定できる。ｍｓｇ３の伝送時間がｍｓｇ２のＭＣＯＴ以外である場合、ｍｓｇ２により、ｍｓｇ３がＭＣＯＴ以外であることを指示すると共に、ＵＥは、現在、ＲＡＣＨを開始するイベント及びＲＲＣの設定により、ｍｓｇ３を送信するためのチャネルアクセスレベルを決定する。なお、ｍｓｇ３がＭＣＯＴ内にある場合、使用されるｍｓｇ３のチャネルアクセスタイプ（又はレベル）を直接的に決定することができる。
【００５６】
例５において、ネットワークは、異なるＰＲＡＣＨリソースを設定してもよく、即ち、時間周波数領域リソース（ＰＲＡＣＨ  ｏｃｃａｓｉｏｎ）及び符号領域リソース（異なるｐｒｅａｍｂｌｅ）は異なるランダムアクセスイベントに対応し、異なるｍｓｇ１に用いられるリソース及びｐｒｅａｍｂｌｅに基づいて、ｍｓｇ３に用いられる異なるチャネルアクセス優先度を決定することができる。この場合、該チャネルアクセス優先度は、ｍｓｇ２（ＲＡＲ）によりＵＥに指示される。
【００５７】
上記から分かるように、上記技術的解決手段によれば、端末装置は、ネットワーク側の設定及び／又はランダムアクセス応答の指示に基づいて、ｍｓｇ３を送信する場合に用いられるチャネルアクセスタイプを決定することができる。従って、端末装置が使用されるチャネルアクセスタイプを決定し、異なるトラフィック状況に基づいて異なるチャネルアクセス優先度を用いることを確保し、システムのアクセス効率を向上させることができる。
【００５８】
図６に示すように、本願の実施例で提供されるチャネルアクセスタイプ指示方法は、ネットワーク装置に適用される。前記方法は、ステップ３０１を含む。ステップ３０１において、ランダムアクセス応答の指示及び／又はネットワーク側の設定により、端末装置によるｍｓｇ３の送信に用いられるチャネルアクセスタイプを決定する。
【００５９】
つまり、ｍｓｇ２の指示及び／又はネットワーク側の設定に基づいて、ｍｓｇ３のチャネルアクセスタイプを決定する。
【００６０】
前記ランダムアクセス応答に、前記ｍｓｇ３のチャネルアクセスタイプが含まれる。
【００６１】
具体的には、下記幾つかの方式がある。
【００６２】
方式１
前記ｍｓｇ３のチャネルアクセスタイプは、前記ランダムアクセス応答のサブヘッダーに含まれる。ここで、前記ｍｓｇ３のチャネルアクセスタイプは、前記ランダムアクセス応答のサブヘッダーの予約ビットにより指示される。
【００６３】
前記チャネルアクセスタイプは、前記ＲＡＲのｓｕｂｈｅａｄｅｒの予約ビットにより指示されてもよい。
【００６４】
更に、前記ｍｓｇ３のチャネルアクセスタイプは、単独のランダムアクセス応答のサブヘッダーにより指示される。
【００６５】
ここで、前記単独のランダムアクセス応答のサブヘッダーは、従来技術に存在するサブヘッダーと異なるフォーマットであってもよく、本実施例は、具体的なフォーマットを限定するものではなく、従来技術で定義されたサブヘッダーと区別可能なものであればよい。
【００６６】
方式２
前記ｍｓｇ３のチャネルアクセスタイプは、前記ランダムアクセス応答のペイロードに含まれる。前記ｍｓｇ３のチャネルアクセスタイプは、前記ランダムアクセス応答のペイロード（ｐａｙｌｏａｄ）の予約ビットにより指示される。
【００６７】
上記記述によれば、本実施例に記載のｍｓｇ３のチャネルアクセスタイプは、共通のチャネルタイプ又は異なる端末装置に対する異なるチャネルタイプである。
【００６８】
つまり、チャネルアクセスタイプの指示は、共通のチャネルタイプの指示であってもよく、異なる端末装置に対する異なるチャネルタイプの指示であってもよい。
【００６９】
以上は、ＲＡＲの指示により、端末装置のｍｓｇ３のチャネルアクセスタイプを決定するための処理プロセスである。以下、ネットワーク側の設定により、端末装置のｍｓｇ３のチャネルアクセスタイプを決定するための処理プロセスを説明する。
【００７０】
ＲＲＣシグナリングにより、端末装置のために、少なくとも１つのチャネルアクセスタイプを設定する。
【００７１】
ランダムアクセス応答により、ｍｓｇ３のチャネルアクセスタイプの識別情報を指示し、
ここで、前記ｍｓｇ３のチャネルアクセスタイプは、前記ＲＲＣシグナリングにより設定された少なくとも１つのチャネルアクセスタイプのうちの１つである。
【００７２】
ネットワーク側は、ＲＲＣシグナリングにより端末装置のために、少なくとも１つのチャネルアクセスタイプを設定することができ、また、各チャネルアクセスタイプに対応する識別情報ｉｎｄｅｘを設定することもできることに留意されたい。
【００７３】
対応的に、ＲＡＲにより、ｍｓｇ３のチャネルアクセスタイプを指示する場合、識別情報を直接的に送信することで、端末装置に使用されるｍｓｇ３のチャネルアクセスタイプを指示することができる。
【００７４】
本実施例における前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なる。
【００７５】
第３チャネルアクセスタイプは、複数のアクセスレベルを含んでもよく、且つ第３チャネルアクセスタイプに含まれるアクセスレベルは、従来技術で限定された他のタイプのアクセスレベルと異なる。
【００７６】
なお、ランダムアクセス応答により、ｍｓｇ３の伝送時間がランダムアクセス応答の最大チャネル占有時間以外であることを端末装置に指示することを更に含んでもよい。対応的に、端末装置は、現在、ランダムアクセスを開始する時刻、及びＲＲＣにより設定された少なくとも１つのチャネルアクセスタイプに基づいて、ｍｓｇ３のチャネルアクセスタイプを決定することもできる。具体的には、ｍｓｇ３の伝送時間は、ランダムアクセス応答の最大チャネル占有時間以外である場合、現在、ランダムアクセスを開始するイベント及びＲＲＣにより設定された少なくとも１つのチャネルアクセスタイプに基づいて、ｍｓｇ３のチャネルアクセスタイプを決定する。
【００７７】
ランダムアクセス応答の最大チャネル占有時間、及びスケジューリングされたｍｓｇ３の伝送時間に基づいて、ｍｓｇ３のチャネルアクセスタイプを決定するという処理方式もある。
【００７８】
ここで、ランダムアクセス応答の最大チャネル占有時間、及びスケジューリングされたｍｓｇ３の伝送時間に基づいて、ｍｓｇ３のチャネルアクセスタイプを決定することは、
ｍｓｇ３の伝送時間がランダムアクセス応答の最大チャネル占有時間内にある場合、優先度の高いチャネルアクセスタイプを用いることと、
ｍｓｇ３の伝送時間がランダムアクセス応答の最大チャネル占有時間以外である場合、優先度の低いチャネルアクセスタイプを用いることと、を含む。
【００７９】
ここで、高優先度及び低優先度の設定は、実際の状況に応じて設定されてもよい。例えば、現在、優先度１−１０が存在すると、６−１０を高優先度と設定し、高優先度から、１つを選択して端末装置に使用されるチャネル優先度とすることができる。残りの優先度を低優先度と設定し、そのうちから、１つを選択して端末装置に使用される低チャネルアクセス優先度とすることができる。
【００８０】
前記方法は、
端末装置のｍｓｇ１に用いられる時間周波数領域リソース及び／又は符号領域リソースに基づいて、前記端末装置のｍｓｇ３に使用されるチャネルアクセスタイプを決定し、ランダムアクセス応答により、前記端末装置にｍｓｇ３のチャネルアクセスタイプを指示することを更に含む。
【００８１】
該処理を実行する前に、ネットワーク側は、異なるＰＲＡＣＨリソースを設定し、即ち、時間周波数領域リソース（ＰＲＡＣＨ  ｏｃｃａｓｉｏｎ）及び符号領域リソース（異なるｐｒｅａｍｂｌｅ）は異なるランダムアクセスイベント（タイプ）に対応し、端末装置によるｍｓｇ１の送信に用いられる時間周波数領域リソース及び／又は符号領域リソースに基づいて、端末装置のために、ｍｓｇ３のチャネルアクセスタイプを選択し、ｍｓｇ２により端末装置に通知することができる。
【００８２】
以下、本実施例で提供される技術的解決手段の例を説明する。
【００８３】
例１において、ＲＡＲのフォーマットは、図４に示すとおりである。ネットワークは、ｓｕｂｈｅａｄｅｒにおける２つのＲ（予約）ビットにより、共通のチャネルアクセス優先度を指示できる。異なるＵＥは、該共通優先度を利用してｍｓｇ３を伝送する。
【００８４】
例２において、ＲＡＲペイロードｐａｙｌｏａｄのフォーマットは、図５に示すとおりである。ネットワークは、ｐａｙｌｏａｄにおけるＲ（予約）ビットにより、特定のチャネルアクセス優先度を１つのＵＥに指示する。異なるＵＥは、該特定の優先度を利用してｍｓｇ３を伝送する。
【００８５】
例３において、ネットワークは、ＲＲＣシグナリングにより、少なくとも１つのチャネルアクセスタイプ（少なくとも１つのチャネルアクセス優先度を含んでもよい）を設定する。また、異なるチャネルアクセスタイプ（又は異なるチャネルアクセス優先度）は、異なる識別情報ｉｎｄｅｘに対応する。また、ｍｓｇ２により、１つのｉｎｄｅｘを指示する。該ｉｎｄｅｘは、ＲＲＣにより設定された複数のチャネルアクセスタイプのうちの１つのチャネルアクセスタイプに対応し、且つ、１つのチャネルアクセス優先度に対応する。
【００８６】
例４において、ネットワークは、ＲＲＣにより異なるチャネルアクセスレベルを設定できる。ｍｓｇ３の伝送時間がｍｓｇ２のＭＣＯＴ以外である場合、ｍｓｇ２により、ｍｓｇ３がＭＣＯＴ以外であることを指示すると共に、ＵＥは、現在、ＲＡＣＨを開始するイベント及びＲＲＣの設定により、ｍｓｇ３を送信するためのチャネルアクセスレベルを決定する。なお、ｍｓｇ３がＭＣＯＴ内にある場合、使用されるｍｓｇ３のチャネルアクセスタイプ（又はレベル）を直接的に決定することができる。
【００８７】
例５において、ネットワークは、異なるＰＲＡＣＨリソースを設定してもよく、即ち、時間周波数領域リソース（ＰＲＡＣＨ  ｏｃｃａｓｉｏｎ）及び符号領域リソース（異なるｐｒｅａｍｂｌｅ）は異なるランダムアクセスイベントに対応し、異なるｍｓｇ１に用いられるリソース及びｐｒｅａｍｂｌｅに基づいて、ｍｓｇ３に用いられる異なるチャネルアクセス優先度を決定することができる。この場合、該チャネルアクセス優先度は、ｍｓｇ２（ＲＡＲ）によりＵＥに指示される。
【００８８】
例６において、ネットワークは、ｍｓｇ２が最大チャネル占有時間（ＭＣＯＴ）を占有し、及びスケジューリングされたｍｓｇ３の時間がＭＣＯＴ内にあるかどうかに基づいて、ｍｓｇ３のチャネルアクセスタイプを決定する。ｍｓｇ３の伝送がｍｓｇ２のＭＣＯＴ内にあると、優先度の高いチャネルアクセス方式を用いる。ｍｓｇ３の伝送がｍｓｇ２のＭＣＯＴ以外であると、優先度の低いチャネルアクセス方式を用いる。
【００８９】
上記から分かるように、上記技術的解決手段によれば、端末装置は、ネットワーク側の設定及び／又はランダムアクセス応答の指示に基づいて、ｍｓｇ３を送信する場合に用いられるチャネルアクセスタイプを決定することができる。従って、端末装置が使用されるチャネルアクセスタイプを決定し、異なるトラフィック状況に基づいて異なるチャネルアクセス優先度を用いることを確保し、システムのアクセス効率を向上させることができる。
【００９０】
図７に示すように、本願の実施例で提供される端末装置は、ランダムアクセス応答の指示及び／又はネットワーク側の設定に基づいて、ｍｓｇ３のチャネルアクセスタイプを決定するように構成される第１処理ユニット７１を備える。
【００９１】
つまり、ｍｓｇ２の指示及び／又はネットワーク側の設定に基づいて、ｍｓｇ３のチャネルアクセスタイプを決定する。
【００９２】
前記ランダムアクセス応答に、前記ｍｓｇ３のチャネルアクセスタイプが含まれる。
【００９３】
具体的には、下記幾つかの方式がある。
【００９４】
方式１
前記ｍｓｇ３のチャネルアクセスタイプは、前記ランダムアクセス応答のサブヘッダーに含まれる。ここで、前記ｍｓｇ３のチャネルアクセスタイプは、前記ランダムアクセス応答のサブヘッダーの予約ビットにより指示される。
【００９５】
前記チャネルアクセスタイプは、前記ＲＡＲのｓｕｂｈｅａｄｅｒの予約ビットにより指示されてもよい。
【００９６】
更に、前記ｍｓｇ３のチャネルアクセスタイプは、単独のランダムアクセス応答のサブヘッダーにより指示される。
【００９７】
ここで、前記単独のランダムアクセス応答のサブヘッダーは、従来技術に存在するサブヘッダーと異なるフォーマットであってもよく、本実施例は、具体的なフォーマットを限定するものではなく、従来技術で定義されたサブヘッダーと区別可能なものであればよい。
【００９８】
方式２
前記ｍｓｇ３のチャネルアクセスタイプは、前記ランダムアクセス応答のペイロードに含まれる。前記ｍｓｇ３のチャネルアクセスタイプは、前記ランダムアクセス応答のペイロード（ｐａｙｌｏａｄ）の予約ビットにより指示される。
【００９９】
上記記述によれば、本実施例に記載のｍｓｇ３のチャネルアクセスタイプは、共通のチャネルタイプ又は異なる端末装置に対する異なるチャネルタイプである。
【０１００】
つまり、チャネルアクセスタイプの指示は、共通のチャネルタイプの指示であってもよく、異なる端末装置に対する異なるチャネルタイプの指示であってもよい。
【０１０１】
以上は、ＲＡＲの指示により、端末装置のｍｓｇ３のチャネルアクセスタイプを決定するための処理プロセスである。以下、ネットワーク側の設定により、端末装置のｍｓｇ３のチャネルアクセスタイプを決定するための処理プロセスを説明する。
【０１０２】
前記端末装置は、
ネットワーク側のＲＲＣシグナリングにより、ネットワーク側により設定された少なくとも１つのチャネルアクセスタイプを取得するように構成される第１通信ユニット７２を更に含む。
【０１０３】
第１通信ユニット７２は、ランダムアクセス応答により指示されたｍｓｇ３のチャネルアクセスタイプの識別情報を取得するように構成され、
前記ｍｓｇ３のチャネルアクセスタイプは、前記ＲＲＣシグナリングにより設定された少なくとも１つのチャネルアクセスタイプのうちの１つである。
【０１０４】
ネットワーク側は、ＲＲＣシグナリングにより端末装置のために、少なくとも１つのチャネルアクセスタイプを設定することができ、また、各チャネルアクセスタイプに対応する識別情報ｉｎｄｅｘを設定することもできることに留意されたい。
【０１０５】
対応的に、ＲＡＲにより、ｍｓｇ３のチャネルアクセスタイプを指示する場合、識別情報を直接的に送信することで、端末装置に使用されるｍｓｇ３のチャネルアクセスタイプを指示することができる。
【０１０６】
本実施例における前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なる。
【０１０７】
第３チャネルアクセスタイプは、複数のアクセスレベルを含んでもよく、且つ第３チャネルアクセスタイプに含まれるアクセスレベルは、従来技術で限定された他のタイプのアクセスレベルと異なる。
【０１０８】
なお、第１処理ユニット７１は、端末装置が、現在、ランダムアクセスを開始する時刻、及びＲＲＣにより設定された少なくとも１つのチャネルアクセスタイプに基づいて、ｍｓｇ３のチャネルアクセスタイプを決定するように構成される。具体的には、ｍｓｇ３の伝送時間は、ランダムアクセス応答の最大チャネル占有時間以外である場合、現在、ランダムアクセスを開始するイベント及びＲＲＣにより設定された少なくとも１つのチャネルアクセスタイプに基づいて、ｍｓｇ３のチャネルアクセスタイプを決定する。
【０１０９】
ここで、ｍｓｇ３の伝送時間がＲＡＲの最大チャネル占有時間ＭＣＯＴ以外であるかどうは、ネットワーク側により設定されてもよい。
【０１１０】
以下、本実施例で提供される技術的解決手段の例を説明する。
【０１１１】
例１において、ＲＡＲのフォーマットは、図４に示すとおりである。ネットワークは、ｓｕｂｈｅａｄｅｒにおける２つのＲ（予約）ビットにより、共通のチャネルアクセス優先度を指示できる。異なるＵＥは、該共通優先度を利用してｍｓｇ３を伝送する。
【０１１２】
例２において、ＲＡＲペイロードｐａｙｌｏａｄのフォーマットは、図５に示すとおりである。ネットワークは、ｐａｙｌｏａｄにおけるＲ（予約）ビットにより、特定のチャネルアクセス優先度を１つのＵＥに指示する。異なるＵＥは、該特定の優先度を利用してｍｓｇ３を伝送する。
【０１１３】
例３において、ネットワークは、ＲＲＣシグナリングにより、少なくとも１つのチャネルアクセスタイプ（少なくとも１つのチャネルアクセス優先度を含んでもよい）を設定する。また、異なるチャネルアクセスタイプ（又は異なるチャネルアクセス優先度）は、異なる識別情報ｉｎｄｅｘに対応する。また、ｍｓｇ２により、１つのｉｎｄｅｘを指示する。該ｉｎｄｅｘは、ＲＲＣにより設定された複数のチャネルアクセスタイプのうちの１つのチャネルアクセスタイプに対応し、且つ、１つのチャネルアクセス優先度に対応する。
【０１１４】
例４において、ネットワークは、ＲＲＣにより異なるチャネルアクセスレベルを設定できる。ｍｓｇ３の伝送時間がｍｓｇ２のＭＣＯＴ以外である場合、ｍｓｇ２により、ｍｓｇ３がＭＣＯＴ以外であることを指示すると共に、ＵＥは、現在、ＲＡＣＨを開始するイベント及びＲＲＣの設定により、ｍｓｇ３を送信するためのチャネルアクセスレベルを決定する。なお、ｍｓｇ３がＭＣＯＴ内にある場合、使用されるｍｓｇ３のチャネルアクセスタイプ（又はレベル）を直接的に決定することができる。
【０１１５】
例５において、ネットワークは、異なるＰＲＡＣＨリソースを設定してもよく、即ち、時間周波数領域リソース（ＰＲＡＣＨ  ｏｃｃａｓｉｏｎ）及び符号領域リソース（異なるｐｒｅａｍｂｌｅ）は異なるランダムアクセスイベントに対応し、異なるｍｓｇ１に用いられるリソース及びｐｒｅａｍｂｌｅに基づいて、ｍｓｇ３に用いられる異なるチャネルアクセス優先度を決定することができる。この場合、該チャネルアクセス優先度は、ｍｓｇ２（ＲＡＲ）によりＵＥに指示される。
【０１１６】
上記から分かるように、上記技術的解決手段によれば、端末装置は、ネットワーク側の設定及び／又はランダムアクセス応答の指示に基づいて、ｍｓｇ３を送信する場合に用いられるチャネルアクセスタイプを決定することができる。従って、端末装置が使用されるチャネルアクセスタイプを決定し、異なるトラフィック状況に基づいて異なるチャネルアクセス優先度を用いることを確保し、システムのアクセス効率を向上させることができる。
【０１１７】
図８に示すように、本願の実施例で提供されるネットワーク装置は、ランダムアクセス応答の指示及び／又はネットワーク側の設定により、端末装置によるｍｓｇ３の送信に用いられるチャネルアクセスタイプを決定するように構成される第２通信ユニット８１を備える。
【０１１８】
つまり、ｍｓｇ２の指示及び／又はネットワーク側の設定に基づいて、ｍｓｇ３のチャネルアクセスタイプを決定する。
【０１１９】
第２通信ユニット８１は、前記ランダムアクセス応答に、前記ｍｓｇ３のチャネルアクセスタイプを包含させるように構成される。
【０１２０】
具体的には、下記幾つかの方式がある。
【０１２１】
方式１
前記ｍｓｇ３のチャネルアクセスタイプは、前記ランダムアクセス応答のサブヘッダーに含まれる。ここで、前記ｍｓｇ３のチャネルアクセスタイプは、前記ランダムアクセス応答のサブヘッダーの予約ビットにより指示される。
【０１２２】
前記チャネルアクセスタイプは、前記ＲＡＲのｓｕｂｈｅａｄｅｒの予約ビットにより指示されてもよい。
【０１２３】
更に、前記ｍｓｇ３のチャネルアクセスタイプは、単独のランダムアクセス応答のサブヘッダーにより指示される。
【０１２４】
ここで、前記単独のランダムアクセス応答のサブヘッダーは、従来技術に存在するサブヘッダーと異なるフォーマットであってもよく、本実施例は、具体的なフォーマットを限定するものではなく、従来技術で定義されたサブヘッダーと区別可能なものであればよい。
【０１２５】
方式２
前記ｍｓｇ３のチャネルアクセスタイプは、前記ランダムアクセス応答のペイロードに含まれる。前記ｍｓｇ３のチャネルアクセスタイプは、前記ランダムアクセス応答のペイロード（ｐａｙｌｏａｄ）の予約ビットにより指示される。
【０１２６】
上記記述によれば、本実施例に記載のｍｓｇ３のチャネルアクセスタイプは、共通のチャネルタイプ又は異なる端末装置に対する異なるチャネルタイプである。
【０１２７】
つまり、チャネルアクセスタイプの指示は、共通のチャネルタイプの指示であってもよく、異なる端末装置に対する異なるチャネルタイプの指示であってもよい。
【０１２８】
以上は、ＲＡＲの指示により、端末装置のｍｓｇ３のチャネルアクセスタイプを決定するための処理プロセスである。以下、ネットワーク側の設定により、端末装置のｍｓｇ３のチャネルアクセスタイプを決定するための処理プロセスを説明する。
【０１２９】
第２通信ユニット８１は、ＲＲＣシグナリングにより、端末装置のために、少なくとも１つのチャネルアクセスタイプを設定するように構成される。
【０１３０】
第２通信ユニット８１は、ランダムアクセス応答により、ｍｓｇ３のチャネルアクセスタイプの識別情報を端末装置に指示するように構成され、
ここで、前記ｍｓｇ３のチャネルアクセスタイプは、前記ＲＲＣシグナリングにより設定された少なくとも１つのチャネルアクセスタイプのうちの１つである。
【０１３１】
ネットワーク側は、ＲＲＣシグナリングにより端末装置のために、少なくとも１つのチャネルアクセスタイプを設定することができ、また、各チャネルアクセスタイプに対応する識別情報ｉｎｄｅｘを設定することもできることに留意されたい。
【０１３２】
対応的に、ＲＡＲにより、ｍｓｇ３のチャネルアクセスタイプを指示する場合、識別情報を直接的に送信することで、端末装置に使用されるｍｓｇ３のチャネルアクセスタイプを指示することができる。
【０１３３】
本実施例における前記チャネルアクセスタイプは、
第１チャネルアクセスタイプ、第２チャネルアクセスタイプ、第１チャネルアクセスタイプに含まれる少なくとも１つのアクセスレベル、少なくとも１つの第３チャネルアクセスタイプのうちの少なくとも１つを含み、
前記第３チャネルアクセスタイプに含まれるアクセスレベルは、前記第１チャネルアクセスタイプ及び第２チャネルアクセスタイプに含まれるアクセスレベルと異なる。
【０１３４】
第３チャネルアクセスタイプは、複数のアクセスレベルを含んでもよく、且つ第３チャネルアクセスタイプに含まれるアクセスレベルは、従来技術で限定された他のタイプのアクセスレベルと異なる。
【０１３５】
なお、ランダムアクセス応答により、ｍｓｇ３の伝送時間がランダムアクセス応答の最大チャネル占有時間以外であることを端末装置に指示することを更に含んでもよい。端末装置は、現在、ランダムアクセスを開始する時刻、及びＲＲＣにより設定された少なくとも１つのチャネルアクセスタイプに基づいて、ｍｓｇ３のチャネルアクセスタイプを決定することもできる。前記ネットワーク装置は、
ランダムアクセス応答の最大チャネル占有時間、及びスケジューリングされたｍｓｇ３の伝送時間に基づいて、ｍｓｇ３のチャネルアクセスタイプを決定するように構成される第２処理ユニット８２を更に備える。
【０１３６】
第２処理ユニット８２は、ランダムアクセス応答の最大チャネル占有時間、及びスケジューリングされたｍｓｇ３の伝送時間に基づいて、ｍｓｇ３のチャネルアクセスタイプを決定するように構成される。
【０１３７】
ここで、前記第２処理ユニットは、ｍｓｇ３の伝送時間がランダムアクセス応答の最大チャネル占有時間内にある場合、優先度の高いチャネルアクセスタイプを用い、
ｍｓｇ３の伝送時間がランダムアクセス応答の最大チャネル占有時間以外である場合、優先度の低いチャネルアクセスタイプを用いるように構成される。
【０１３８】
ここで、高優先度及び低優先度の設定は、実際の状況に応じて設定されてもよい。例えば、現在、優先度１−１０が存在すると、６−１０を高優先度と設定し、高優先度から、１つを選択して端末装置に使用されるチャネル優先度とすることができる。残りの優先度を低優先度と設定し、そのうちから、１つを選択して端末装置に使用される低チャネルアクセス優先度とすることができる。
【０１３９】
第２処理ユニット８２は、端末装置のｍｓｇ１に用いられる時間周波数領域リソース及び／又は符号領域リソースに基づいて、前記端末装置のｍｓｇ３に使用されるチャネルアクセスタイプを決定するように構成され、第２通信ユニット８１は、ランダムアクセス応答により、前記端末装置にｍｓｇ３のチャネルアクセスタイプを指示するように構成される。
【０１４０】
該処理を実行する前に、ネットワーク側は、異なるＰＲＡＣＨリソースを設定し、即ち、時間周波数領域リソース（ＰＲＡＣＨ  ｏｃｃａｓｉｏｎ）及び符号領域リソース（異なるｐｒｅａｍｂｌｅ）は異なるランダムアクセスイベント（タイプ）に対応し、端末装置によるｍｓｇ１の送信に用いられる時間周波数領域リソース及び／又は符号領域リソースに基づいて、端末装置のために、ｍｓｇ３のチャネルアクセスタイプを選択し、ｍｓｇ２により端末装置に通知することができる。
【０１４１】
以下、本実施例で提供される技術的解決手段の例を説明する。
【０１４２】
例１において、ＲＡＲのフォーマットは、図４に示すとおりである。ネットワークは、ｓｕｂｈｅａｄｅｒにおける２つのＲ（予約）ビットにより、共通のチャネルアクセス優先度を指示できる。異なるＵＥは、該共通優先度を利用してｍｓｇ３を伝送する。
【０１４３】
例２において、ＲＡＲペイロードｐａｙｌｏａｄのフォーマットは、図５に示すとおりである。ネットワークは、ｐａｙｌｏａｄにおけるＲ（予約）ビットにより、特定のチャネルアクセス優先度を１つのＵＥに指示する。異なるＵＥは、該特定の優先度を利用してｍｓｇ３を伝送する。
【０１４４】
例３において、ネットワークは、ＲＲＣシグナリングにより、少なくとも１つのチャネルアクセスタイプ（少なくとも１つのチャネルアクセス優先度を含んでもよい）を設定する。また、異なるチャネルアクセスタイプ（又は異なるチャネルアクセス優先度）は、異なる識別情報ｉｎｄｅｘに対応する。また、ｍｓｇ２により、１つのｉｎｄｅｘを指示する。該ｉｎｄｅｘは、ＲＲＣにより設定された複数のチャネルアクセスタイプのうちの１つのチャネルアクセスタイプに対応し、且つ、１つのチャネルアクセス優先度に対応する。
【０１４５】
例４において、ネットワークは、ＲＲＣにより異なるチャネルアクセスレベルを設定できる。ｍｓｇ３の伝送時間がｍｓｇ２のＭＣＯＴ以外である場合、ｍｓｇ２により、ｍｓｇ３がＭＣＯＴ以外であることを指示すると共に、ＵＥは、現在、ＲＡＣＨを開始するイベント及びＲＲＣの設定により、ｍｓｇ３を送信するためのチャネルアクセスレベルを決定する。なお、ｍｓｇ３がＭＣＯＴ内にある場合、使用されるｍｓｇ３のチャネルアクセスタイプ（又はレベル）を直接的に決定することができる。
【０１４６】
例５において、ネットワークは、異なるＰＲＡＣＨリソースを設定してもよく、即ち、時間周波数領域リソース（ＰＲＡＣＨ  ｏｃｃａｓｉｏｎ）及び符号領域リソース（異なるｐｒｅａｍｂｌｅ）は異なるランダムアクセスイベントに対応し、異なるｍｓｇ１に用いられるリソース及びｐｒｅａｍｂｌｅに基づいて、ｍｓｇ３に用いられる異なるチャネルアクセス優先度を決定することができる。この場合、該チャネルアクセス優先度は、ｍｓｇ２（ＲＡＲ）によりＵＥに指示される。
【０１４７】
例６において、ネットワークは、ｍｓｇ２が最大チャネル占有時間（ＭＣＯＴ）を占有し、及びスケジューリングされたｍｓｇ３の時間がＭＣＯＴ内にあるかどうかに基づいて、ｍｓｇ３のチャネルアクセスタイプを決定する。ｍｓｇ３の伝送がｍｓｇ２のＭＣＯＴ内にあると、優先度の高いチャネルアクセス方式を用いる。ｍｓｇ３の伝送がｍｓｇ２のＭＣＯＴ以外であると、優先度の低いチャネルアクセス方式を用いる。
【０１４８】
上記から分かるように、上記技術的解決手段によれば、端末装置は、ネットワーク側の設定及び／又はランダムアクセス応答の指示に基づいて、ｍｓｇ３を送信する場合に用いられるチャネルアクセスタイプを決定することができる。従って、端末装置が使用されるチャネルアクセスタイプを決定し、異なるトラフィック状況に基づいて異なるチャネルアクセス優先度を用いることを確保し、システムのアクセス効率を向上させることができる。
【０１４９】
図９は、本願の実施例による通信装置９００を示す概略図である。図９に示す通信装置９００は、プロセッサ９１０を備え、プロセッサ９１０は、メモリからコンピュータプログラムを呼び出して実行し、本願の実施例における方法を実現させる。
【０１５０】
任意選択的に、図９に示すように、通信装置９００は、メモリ９２０を更に備えてもよい。ここで、プロセッサ９１０は、メモリ９２０からコンピュータプログラムを呼び出して実行し、本願の実施例における方法を実現させる。
【０１５１】
ここで、メモリ９２０は、プロセッサ９１０から独立した個別のデバイスであってもよいし、プロセッサ９１０に集積されてもよい。
【０１５２】
任意選択的に、図９に示すように、通信装置９００は、送受信機９３０を更に備えてもよい。プロセッサ９１０は、該送受信機９３０を、他の装置と通信するように制御することができる。具体的には、他の装置に情報又はデータを送信できるか又は他の装置からの情報又はデータを受信できる。
【０１５３】
ここで、送受信機９３０は、送信機及び受信機を備えてもよい。送受信機９３０は、アンテナを更に備えてもよい。アンテナの数は、１つ又は複数であってもよい。
【０１５４】
任意選択的に、該通信装置９００は具体的には、本願の実施例のネットワーク装置であってもよい。また、該通信装置９００は、本願の実施例の各方法におけるネットワーク装置により実現されるプロセスを実現させることができる。簡潔化のために、ここで詳細な説明を省略する。
【０１５５】
任意選択的に、該通信装置９００は具体的には、本願の実施例の端末装置又はネットワーク装置であってもよい。また、該通信装置９００は、本願の実施例の各方法における携帯端末／端末装置により実現されるプロセスを実現させることができる。簡潔化のために、ここで詳細な説明を省略する。
【０１５６】
図１０は、本願の実施例によるチップの構造を示す概略図である。図１０に示すチップ１０００は、プロセッサ１０１０を備える。プロセッサ１０１０は、メモリからコンピュータプログラムを呼び出して実行し、本願の実施例における方法を実現させる。
【０１５７】
任意選択的に、図１０に示すように、チップ１０００は、メモリ１０２０を更に備えてもよい。ここで、プロセッサ１０１０は、メモリ１０２０からコンピュータプログラムを呼び出して実行し、本願の実施例における方法を実現させる。
【０１５８】
ここで、メモリ１０２０は、プロセッサ１０１０から独立した個別のデバイスであってもよいし、プロセッサ１０１０に集積されてもよい。
【０１５９】
任意選択的に、該チップ１０００は、入力インタフェース１０３０を更に備えてもよい。ここで、プロセッサ１０１０は、該入力インタフェース１０３０を、他の装置又はチップと通信するように制御することができる。具体的には、他の装置又はチップからの情報又はデータを取得することができる。
【０１６０】
任意選択的に、該チップ１０００は、出力インタフェース１０４０を更に備えてもよい。ここで、プロセッサ１０１０は、該出力インタフェース１０４０を、他の装置又はチップと通信するように制御することができる。具体的には、他の装置又はチップに情報又はデータを出力することができる。
【０１６１】
任意選択的に、該チップは、本願の実施例におけるネットワーク装置に適用可能である。また、該チップは、本願の実施例の各方法におけるネットワーク装置により実現されるプロセスを実現させることができる。簡潔化のために、ここで詳細な説明を省略する。
【０１６２】
任意選択的に、該チップは、本願の実施例における端末装置に適用可能である。また、該チップは、本願の実施例の各方法における端末装置により実現されるプロセスを実現させることができる。簡潔化のために、ここで詳細な説明を省略する。
【０１６３】
本願の実施例で言及したチップは、システムオンチップ、システムチップ、チップシステム又はチップの上にあらゆるパーツを搭載したシステムと呼ばれてもよいことが理解されるべきである。
【０１６４】
図１１は、本願の実施例による通信システム１１００を示すブロック図である。図１１に示すように、該通信システム１１００は、端末装置１１１０とネットワーク装置１１２０とを備える。
【０１６５】
ここで、該端末装置１１１０は、上記方法における端末装置により実現される機能を実現させるために用いられる。該ネットワーク装置１１２０は、上記方法におけるネットワーク装置により実現される機能を実現させるために用いられる。簡潔化のために、ここで詳細な説明を省略する。
【０１６６】
本願の実施例におけるプロセッサは、信号処理能力を持つ集積回路チップであってもよいことが理解されるべきである。実現プロセスにおいて、上記方法の実施例における各ステップは、プロセッサにおけるハードウェアの集積論理回路又はソフトウェアの形の命令により完成することができることが理解されるべきである。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネントであってもよい。本願の実施例に開示されている各方法、ステップ及び論理ブロック図を実現又は実行することができる。汎用プロセッサはマイクロプロセッサであってもよいし、該プロセッサは如何なる従来のプロセッサ等であってもよい。本願の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ内に位置し、プロセッサはメモリ中の情報を読み取り、そのハードウェアと共に上記方法のプロセスを完了する。
【０１６７】
本願の実施例におけるメモリは、揮発性または不揮発性メモリであってもよいし、揮発性メモリと不揮発性メモリの両者を備えてもよいことが理解されるべきである。ここで、不揮発性メモリは、読み出し専用メモリ（Ｒｅａｄ-ｏｎｌｙ Ｍｅｍｏｒｙ：ＲＯＭ）、プログラマブル読み出し専用メモリ（Ｐｒｏｇｒａｍｍａｂｌｅ  ＲＯＭ：ＰＲＯＭ）、消去可能なプログラマブル読み出し専用メモリ（Ｅｒａｓａｂｌｅ  ＰＲＯＭ：ＥＰＲＯＭ）、電気的消去可能なプログラマブル読み出し専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュメモリとして機能するランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などの多数の形態で使用可能である。本明細書に記載されているシステム及び方法におけるメモリは、これら及び任意の他の適切な形態のメモリを含むが、これらに限定されないことに留意されたい。
【０１６８】
上記メモリは例示的なものであるが、限定的なものではないことが理解されるべきである。例えば、本願の実施例におけるメモリは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などであってもよい。つまり、本願の実施例におけるメモリは、これら及び如何なる他の適切なタイプのメモリを含むが、これらに限定されない。
【０１６９】
本願の実施例は、コンピュータプログラムを記憶するためのコンピュータ可読記憶媒体を更に提供する。
【０１７０】
任意選択的に、該コンピュータ可読記憶媒体は、本願の実施におけるネットワーク装置に適用可能である。また、該コンピュータプログラムは、コンピュータに、本願の実施例の各方法におけるネットワーク装置により実現されるプロセスを実行させる。簡潔化のために、ここで詳細な説明を省略する。
【０１７１】
任意選択的に、該コンピュータ可読記憶媒体は、本願の実施における端末装置に適用可能である。また、該コンピュータプログラムは、コンピュータに、本願の実施例の各方法における携帯端末／端末装置により実現されるプロセスを実行させる。簡潔化のために、ここで詳細な説明を省略する。
【０１７２】
本願の実施例は、コンピュータプログラム命令を含むコンピュータプログラム製品を更に提供する。
【０１７３】
任意選択的に、該コンピュータプログラム製品は、本願の実施におけるネットワーク装置に適用可能である。また、該コンピュータプログラム命令は、コンピュータに、本願の実施例の各方法におけるネットワーク装置により実現されるプロセスを実行させる。簡潔化のために、ここで詳細な説明を省略する。
【０１７４】
任意選択的に、該コンピュータプログラム製品は、本願の実施における携帯端末／端末装置に適用可能である。また、該コンピュータプログラム命令は、コンピュータに、本願の実施例の各方法における携帯端末／端末装置により実現されるプロセスを実行させる。簡潔化のために、ここで詳細な説明を省略する。
【０１７５】
本願の実施例は、コンピュータプログラムを更に提供する。
【０１７６】
任意選択的に、該コンピュータプログラムは、本願の実施におけるネットワーク装置に適用可能である。また、該コンピュータプログラムがコンピュータで実行される時、コンピュータに、本願の実施例の各方法におけるネットワーク装置により実現されるプロセスを実行させる。簡潔化のために、ここで詳細な説明を省略する。
【０１７７】
任意選択的に、該コンピュータプログラムは、本願の実施における携帯端末／端末装置に適用可能である。また、該コンピュータプログラムがコンピュータで実行される時、コンピュータに、本願の実施例の各方法における携帯端末／端末装置により実現されるプロセスを実行させる。簡潔化のために、ここで詳細な説明を省略する。
【０１７８】
当業者であれば、本明細書に開示されている実施例に関係して記載された種々の例示的なユニット及びアルゴリズムステップは、電子ハードウエア、又はコンピュータソフトウエアと電子ハードウエアとの組み合わせとして実現されることが理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１７９】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１８０】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１８１】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１８２】
また、本発明の各実施例における各機能ユニットは一つの処理ユニットに集積されてもよいし、各ユニットが物理的に別個のものとして存在してもよいし、２つ以上のユニットが一つのユニットに集積されてもよい。
【０１８３】
前記機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（Ｒｅａｄ−ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスクなど、プログラムコードを記憶可能な各種の媒体を含む。
【０１８４】
以上は本願の具体的な実施形態に過ぎず、本願の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2021528009.tif 000004
【図２】
2021528009.tif 000005
【図３】
2021528009.tif 000006
【図４】
2021528009.tif 000007
【図５】
2021528009.tif 000008
【図６】
2021528009.tif 000009
【図７】
2021528009.tif 000010
【図８】
2021528009.tif 000011
【図９】
2021528009.tif 000012
【図１０】
2021528009.tif 000013
【図１１】
2021528009.tif 000014
【国際調査報告】
2021528009.tif 000015
2021528009.tif 000016
2021528009.tif 000017
2021528009.tif 000018